(57)【要約】【課題】スライドボリュームを用いて再生テンポの変更を行う場合に、可変幅がある程度広くても容易かつ高精度で再生テンポの調整を行うことのできるオーディオ信号処理装置を得る。【解決手段】テンポ設定スイッチ１０２ａの押下回数によりＣＤ１１の再生テンポの可変幅の選択し、その可変幅内でアップテンポ側またはダウンテンポ側のいずれかを主として使用するかを選択するために、スライドＶＲ１０４を主として利用される再生テンポ側の操作ストロークを増加するようにスライドさせ、セットＳＷ１０２ｃを押下する。その結果、標準テンポ点の移動が行われ、選択されたテンポ側で使用可能なスライドＶＲ１０４の使用範囲が広がる。つまり使用できるＡＤ変換器のステップ数が増大し、実質的に１ステップ当たりの調整量を小さくすることが可能になり、微妙かつ正確な再生テンポ調節を行うことができる。【選択図】        図１
2004302039.tif 000002
【特許請求の範囲】
【請求項１】
所定操作ストロークを有するスライドボリュームと、
前記スライドボリュームの操作量を所定ビット数のＡＤ変換器で制御信号に変換し、当該制御信号に応じて、オーディオ信号記録媒体からのオーディオデータの再生テンポをアップ方向またはダウン方向に可変制御するテンポ制御部と、
を含むオーディオ信号処理装置であって、
前記テンポ制御部は、
アップテンポとダウンテンポの境界である標準テンポ点の位置を変更し、アップテンポ側及びダウンテンポ側として使用可能な操作ストロークを可変設定する標準テンポ点設定手段を含むことを特徴とするオーディオ信号処理装置。
【請求項２】
請求項１記載の装置において、
さらに、
前記スライドボリュームのフルストロークで制御可能な再生テンポの可変幅を選択する可変幅選択手段と、
前記可変幅が選択された時に、その可変幅内でアップテンポ側またはダウンテンポ側のいずれかを主として使用するか選択する主テンポ選択手段と、
を有し、
前記標準テンポ点設定手段は、主として利用される再生テンポ側の操作ストロークを増加するように標準テンポ点の位置を可変設定することを特徴とするオーディオ信号処理装置。
【請求項３】
請求項１または請求項２記載の装置において、
前記標準テンポ点設定手段の設定状態に応じて、スライドボリュームの標準テンポ点表示位置を変更する表示変更手段を有することを特徴とするオーディオ信号処理装置。
【請求項４】
請求項２または請求項３に記載の装置において、
前記標準テンポ点設定手段は、
可変幅選択手段により選択された可変幅に基づいて、標準テンポ点の位置を確定することを特徴とするオーディオ信号処理装置。
【発明の詳細な説明】
【０００１】
【発明の属する技術分野】
本発明はオーディオ信号処理装置、特にオーディオ信号が記録された記録媒体を再生する時の再生テンポの変更をスライドボリュームを用いて行うオーディオ信号処理装置の改良に関する。
【０００２】
【従来の技術】
通常、アナログレコードやＣＤ等のオーディオ信号記録媒体を再生する場合、その再生テンポは、標準テンポになるように、アナログレコードプレーヤの回転速度制御やデジタル信号の読み出し速度が制御されている。しかし、再生テンポを意図的に速くしたり遅くしたりして、再生音の印象を変えるアレンジを行う場合がある。また、再生音の認識度を向上する目的で再生テンポを遅くしたり、再生内容を効率的に理解するために再生テンポを早くしたりする場合もある。
【０００３】
このような要求を満たすために、オーディオ信号再生装置（オーディオプレーヤ）の中には、再生テンポを変更調整するテンポボリュームを有するものがある。また、複数のオーディオ信号の合成や分離を行うエフェクト機能やレコード機能をもつミキサー装置には、通常、標準で再生テンポを変更するテンポボリュームが設けられている。
【０００４】
上述のようなオーディオ信号再生装置やミキサー装置等のオーディオ信号処理装置に搭載される再生テンポを変更する素子としては、操作が容易であり、かつ調整量が視覚的に容易に認識しやすいスライドボリュームが用いられる場合が多い。スライドボリュームは操作子であるノブを摘み、ガイド溝に沿って移動させることにより抵抗体の上を摺動する可変端子の抵抗値あるいは電圧値により位置検出することができ、再生テンポを、標準テンポ（調整量ゼロ）点の位置を基準にアップ方向またはダウン方向に調整することができる。
【０００５】
ところで、ミキサー装置をはじめとするオーディオ信号処理装置には、複数のスイッチや表示部等が密集配置されていると共に、装置自体の小型化が進められる傾向があるため、スライドボリュームの摺動ストローク（フルストローク）の長さは制限される。通常長くても１００ｍｍ程度である。このような場合、所望の可変幅を確保しつつ、再生テンポの微妙な調整を行おうとすると、その摺動量も微妙な調整が要求される。つまり、数ｍｍのストローク内で調整を行わなければならず、正確な調整が困難であった。このような調整作業を改善するために、例えば、複数の調整レンジの切り換えが自在で、可変幅を変更できるスライドボリュームが知られている。この場合、微妙な調整を行う時には、フルストロークで調整できる可変幅を狭くしてフルストロークで小さな調整を行うようにしている。また、最初に粗調整を行い、操作途中で調整レンジの変更を行い、精密な調整を可能にしているものもある（例えば、特許文献１）。
【０００６】
【特許文献１】
特公平７−３４５３１号公報
【０００７】
【発明が解決しようとする課題】
ところで、上述したようなスライドボリュームにより再生テンポの調整を行う場合、一般的にスライドボリュームのフルストロークに対しそのセンター位置を標準テンポ（ゼロ）点の位置として、その上下に−○○％、＋○○％可変できるようになっている。この場合、スライドボリュームの操作量はＡＤ変換器でデジタル信号に変換され、現実の制御量とされる。この時例えば、８ビットチップで構成されるＡＤ変換器を使用した場合、２５６ステップの分解能を得ることが可能で、−側１２８ステップ、＋側１２８ステップの調整を行うことができる。例えば、再生テンポの可変幅を±８％とした場合、１ステップ当たり０．０６２％（１６／２５６）の調整を行うことができる。一方、再生テンポの可変幅を±１００％とした場合、１ステップ当たり０．７８１％（２００／２５６）の調整が行われてしまうことになる。つまり、可変幅が大きくなるほど１ステップ分の調整精度が粗くなり、調整精度が低下してしまうという問題がある。ＡＤ変換器を用いるチップに大きなビット数のものを用いれば、利用可能なステップ数は増大させることができるが、コスト的に好ましい対応ではない。オーディオ信号の場合、特に音楽や人間の声の場合、微妙なテンポの違いでも再生音の印象を大きく変えてしまうため、再生テンポを変更する場合には、所望のテンポになるように正確な調整を行うことが要求される。正確な調整を行うためには、可変幅はできるだけ狭い範囲で使用することが好ましいが、現実的には±１００％（標準テンポに対し２倍速から停止速度）程度まで任意に使用したい場合が多い。そして、このような場合でも可変幅が小さい（狭い）場合と同様な精度で調整を行いたいという要望がある。
【０００８】
本発明の目的は、スライドボリュームを用いて再生テンポの変更を行う場合に、可変幅がある程度広くても容易かつ高精度で再生テンポの調整を行うことのできるオーディオ信号処理装置を得ることを目的とする。
【０００９】
【課題を解決するための手段】
上記目的を達成するために、本発明は、所定操作ストロークを有するスライドボリュームと、前記スライドボリュームの操作量を所定ビット数のＡＤ変換器で制御信号に変換し、当該制御信号に応じて、オーディオ信号記録媒体からのオーディオデータの再生テンポをアップ方向またはダウン方向に可変制御するテンポ制御部と、を含むオーディオ信号処理装置であって、前記テンポ制御部は、アップテンポとダウンテンポの境界である標準テンポ点の位置を変更し、アップテンポ側及びダウンテンポ側として使用可能な操作ストロークを可変設定する標準テンポ点設定手段を含むことを特徴とする。
【００１０】
ここで、所定ビット数のＡＤ変換器とは、例えば８ビットのチップを用いたものであり、８ビットチップの場合、２５６ステップの調整のための解像度を得ることができる。
【００１１】
この構成によれば、標準テンポ点、つまり調整ゼロ点をスライドボリュームのフルストローク中の所望の位置に変更する。標準テンポ点位置の変更により使用可能範囲が広がった再生テンポ側（アップテンポ側またはダウンテンポ側）はＡＤ変換器において使用できるステップが増加する。その結果、実質的に１ステップ当たりの調整量を小さくすることが可能になり、微妙かつ正確な再生テンポ調節を行うことができる。
【００１２】
上記目的を達成するために、本発明は、上記構成において、さらに、前記スライドボリュームのフルストロークで制御可能な再生テンポの可変幅を選択する可変幅選択手段と、前記可変幅が選択された時に、その可変幅内でアップテンポ側またはダウンテンポ側のいずれかを主として使用するか選択する主テンポ選択手段と、を有し、前記標準テンポ点設定手段は、主として利用される再生テンポ側の操作ストロークを増加するように標準テンポ点の位置を可変設定することを特徴とする。
【００１３】
再生テンポの調節を行う場合、一連のオーディオデータ、例えば音楽データ１曲の中で再生テンポの調整を行う場合、アップテンポ側またはダウンテンポ側のいずれか一方が主として利用される場合が多い。そこで、利用されないテンポ側の操作ストロークを減少させ、代わりに利用されるテンポ側の操作ストロークを増大させる。その結果、利用するテンポ側でＡＤ変換器において実質的に利用できるステップ数が増大し、１ステップ当たりの調整量を小さくすることが可能になり、微妙かつ正確な再生テンポ調節を行うことができる。
【００１４】
上記目的を達成するために、本発明は、上記構成において、前記標準テンポ点設定手段の設定状態に応じて、スライドボリュームの標準テンポ点表示位置を変更する表示変更手段を有することを特徴とする。
【００１５】
ここで、標準テンポ点表示は、例えば、ＬＥＤの点灯やＬＣＤの表示変化により行うことが可能であり、表示変更手段は、標準テンポ点に応じてＬＥＤやＬＣＤを制御する。
【００１６】
この構成によれば、変化する標準テンポ表示位置の認識が容易になり、再生テンポの調整を正確かつ容易に行うことができる。
【００１７】
上記目的を達成するために、本発明は、上記構成において、前記標準テンポ点設定手段は、可変幅選択手段により選択された可変幅に基づいて、標準テンポ点の位置を確定することを特徴とする。
【００１８】
この構成によれば、選択された可変幅に適した標準テンポ点位置が選択され、利用できるステップが自動的に選択される。その結果、ユーザの操作毎に、標準テンポ点位置の設定誤差が生じるということが防止され、安定した再生テンポの調整を行うことができる。
【００１９】
【発明の実施の形態】
以下、図面に基づき本発明の実施の形態（以下、実施形態という）について説明する。なお、本実施形態においては、スライドボリュームにより再生テンポの可変操作が可能なＤＪ用ＣＤプレーヤのごときオーディオ信号処理装置を例にとり説明する。
【００２０】
図１には、本実施形態に係るオーディオ信号再生装置の全体構成図が示されている。オーディオ信号再生装置は、ＣＤプレーヤ１、コントローラ２を含んで構成される。
【００２１】
ＣＤプレーヤ１は、光ディスクとしてのＣＤ１１を再生するもので、ＣＤ１１はトレイ上に載置されて装填位置に移動後、クランプされてスピンドルモータ１２により回転駆動される。スピンドルモータ１２はドライブ回路１４によりその回転速度が制御され、ドライブ回路１４はＤＳＰ２８からの制御信号によりスピンドルモータ１２を回転駆動する。具体的には、スピンドルモータ１２は、ＤＳＰ２８及びドライブ回路１４からの指令によりＣＤ１１を２倍（倍速）の速度で回転駆動する。ＣＤ１１を載置するトレイはトレイモータ１６により出し入れ自在に駆動される。トレイモータ１６はドライブ回路１８により駆動される。
【００２２】
光ピックアップ２０がＣＤ１１に対向して設けられ、ＣＤ１１に再生レーザ光を照射し、その反射光を受光してＣＤ１１のオーディオデータを読み取る。光ピックアップ２０はスレッドモータ２２によりＣＤ１１の半径方向に駆動され、スレッドモータ２２はドライブ回路２４により駆動制御される。ドライブ回路２４はＤＳＰ２８からの制御信号により制御される。光ピックアップ２０からの再生信号はＲＦアンプ回路２６に供給され、ＲＦアンプ回路２６は再生ＲＦ信号をＤＳＰ２８に供給する。
【００２３】
ＤＳＰ２８は、信号処理及びエラー訂正回路３２及びサーボコントロール回路３４を含む。信号処理及びエラー訂正回路３２は、ＲＦアンプ回路２６からの再生ＲＦ信号を処理してオーディオデータを復調し、エラー訂正を行いＤＳＰ信号処理部４４に供給する。ＤＳＰ信号処理部４４は、ＤＳＰ２８からのオーディオデータをメモリ４６に格納する。メモリ４６はＤＲＡＭ等で構成され、オーディオデータのバッファとして機能する。メモリ４６に記憶されたオーディオデータは、ＤＳＰ信号処理部４４により読み出され、ＤＡコンバータ４８にてアナログオーディオ出力に変換された後アナログアンプ５０からオーディオ信号として出力される。ＤＳＰ信号処理部４４がメモリ４６に記憶されたオーディオデータを読み出す速度はテンポ（Ｔｅｍｐｏ）コントロールに応じて設定される。テンポコントロールとは、テンポスライドボリューム操作に応じて決定される。すなわち、テンポスライドボリューム操作により＋１００％の位置に設定された場合、ＤＳＰ信号処理部４４は通常の２倍の処理速度でメモリ４６からオーディオデータを読み出してＤＡコンバータ４８に出力する。テンポを上げた場合、メモリ４６のオーディオデータのバッファ量が減るので、２倍速で書き込みを行い、バッファ量の減少を補う。また、テンポスライドボリューム操作により−５０％の位置に設定された場合、１／２の処理速度でメモリ４６からオーディオデータを読み出す。ＤＳＰ信号処理部４４におけるメモリ４６からのオーディオデータの読み出し処理速度、すなわちテンポコントロールは、メインシステムコントローラ３６からの指令により制御される。
【００２４】
また、このテンポコントロールは、コントローラ２に配置された後述するスライドＶＲ（スライドボリューム）１０４の操作量に基づいて制御される。
【００２５】
スライドＶＲ１０４の位置情報は、システムコントローラ１０６内のＡＤ変換器でＡＤ変換され、さらにシステムコントローラ３６でテンポ係数に変換され、ＤＳＰ信号処理部４４に送られる。ＤＳＰ信号処理部４４はメモリ４６をコントロールし、テンポコントロールの信号処理を行い、指示された再生テンポによりオーディオデータの再生を行う。なお、スライドＶＲ１０４によって再生テンポが制御される場合、スライドＶＲ１０４による再生テンポの更新調整が行われるまで、スライドＶＲ１０４により設定された再生テンポを維持することになる。
【００２６】
ＤＳＰ２８における信号処理及びエラー訂正回路３２は、システムコントローラ３６からの指令に応じてスレッドモータ２２を駆動するため、あるいはスピンドルモータ１２を駆動するためのサーボ信号をサーボコントロール回路３４に供給する。このサーボ信号は、光ピックアップ２０をＣＤ１１の半径方向にシークさせて所望のトラック位置からの読み出しを可能とする場合に出力される。サーボコントロール回路３４は、サーボ信号に基づいてドライブ回路２４を制御してスレッドモータ２２を駆動し、あるいはドライブ回路１４を制御してスピンドルモータ１２を駆動する。ＤＳＰ２８は、クロック発生回路３０からのクロックに基づき動作する。
【００２７】
メインシステムコントローラ３６は、ＣＤプレーヤ１全体の動作を制御するコントローラであり、ＣＤプレーヤ１に設けられた操作表示部１５からの操作信号を入力すると共に表示部への表示データを出力する。メインシステムコントローラ３６の処理プログラムやデータはフラッシュＲＯＭ４０に記憶され、バックアップ用データはＥＥＰＲＯＭ４２に記憶される。
【００２８】
コントローラ２は、ＣＤプレイヤ１に接続される。コントローラ２は、ジョグダイヤル１００、操作・表示部（複数のスイッチ及びインジケータ等）１０２、スライドＶＲ１０４及びサブシステムコントローラ１０６を含む。ジョグダイヤル１００には、ジョグダイヤル１００の回転操作を検出するセンサ１０１が設けられ、ジョグダイヤル１００操作時の回転操作を回転操作信号としてメインシステムコントローラ３６に供給し、回転に応じてスクラッチ音を出力する。
【００２９】
図２には、コントローラ２の正面図が示されている。コントローラ２の前面パネルには、ジョグダイヤル１００、スライドＶＲ１０４、当該スライドＶＲ１０４で再生テンポを変更する場合に、その可変幅、例えば、標準テンポ（変更ゼロ）を基準に±８％の可変を行うモード、±１６％の可変を行うモード、±３２％の可変を行うモード、±１００％の可変を行うモード等の選択を行うテンポ設定スイッチ（可変幅選択手段）１０２ａ、スクラッチモードに切り換えるスクラッチキー１０２ｂ、後述する標準テンポ点を変更する場合に用いるセットＳＷ１０２ｃ及びディスプレイ１１２等を有する。
【００３０】
ユーザが、ＣＤ１１の再生を行う場合、その中で再生テンポを変更したい場合、まず、テンポ設定スイッチ１０２ａの操作により、スライドＶＲ１０４のフルストロークで調整できる再生テンポの可変幅選択を行う。例えば、テンポ設定スイッチ１０２ａの押下無しの状態では、標準テンポ（変更ゼロ）点（通常、スライドＶＲ１０４のストロークセンタ）を基準に上下に再生テンポを±８％可変できるモードになる。また、１回の押下で±１６％可変できるモード、連続した２回の押下で±３２％可変できるモード、３回の押下で±１００％可変できるモード等になる。また、テンポ設定スイッチ１０２ａの長押しでリセット、つまり±８％可変できるモードに戻る。
【００３１】
スライドＶＲ１０４の操作量はシステムコントローラ１０６内のＡＤ変換器（不図示）でデジタル信号に変換される。デジタル信号はメインシステムコントローラ３６へ送られテンポ係数に変換される。このＡＤ変換器に８ビットチップを使用した場合、前述したように、２５６ステップの分解能が確保可能であり、スライドＶＲ（テンポ）１０４のセンタを中心にアップテンポ側１２８ステップ、ダウンステップ側１２８ステップで再生テンポの調整が可能となる。この時、再生テンポの可変幅を±８％可能にするモードを選択していた場合、１ステップ当たりの調整量は、０．０６２％で、再生ステップの調整には十分細かい調整能力を確保することができる。
【００３２】
一方、再生テンポの可変幅を±１００％可能にするモードが選択された場合、１ステップ当たりの調整量は、０．７８１％となる。この時、再生ステップの調整には粗過ぎて十分な調整能力を確保することができない。
【００３３】
そこで、本実施形態においては、システムコントローラ１０６（標準テンポ点設定手段）は、図３（ａ）に示すようにアップテンポとダウンテンポの境界である標準テンポ（変更ゼロ）点の位置ａをセンタから、図３（ｂ）に示すように、主として使用するテンポ側、例えばアップテンポ側の操作ストロークを増加するように、標準テンポ点をダウンテンポ側の位置Ａに移動させる。再生テンポの調節を行う場合、一連のオーディオデータ、例えば音楽データ１曲の中で再生テンポの調整を行う場合、アップテンポ側またはダウンテンポ側のいずれか一方が主として利用される場合が多い。そこで、利用されないテンポ側の操作ストロークを減少させ、代わりに利用されるテンポ側の操作ストロークを増大させる。例えば、再生テンポの可変幅を±１００％可能にするモードが選択され、アップテンポ側の再生テンポ調整を主として行う場合、図３（ｃ）に示すように、アップテンポ側で、２５６ステップ中、２００ステップを利用可能にすると、アップテンポ側では、１ステップ当たり１００／２００＝０．５％の調整が可能になる。従って、標準テンポ点をセンタに設定していた時に対し、１ステップ当たり１．５６倍の精度向上ができる。
【００３４】
この時、主として使用するテンポ側の選択は、例えば、選択するテンポ側の操作ストロークを拡大するように、スライドＶＲ１０４をスライドさせ、同時に新たな標準テンポ点としたい位置に移動し、セットＳＷ１０２ｃを押下することにより行うことができる。本実施形態では、スライドＶＲ１０４とセットＳＷ１０２ｃとが、主テンポ選択手段を構成する。新たな標準テンポ点の位置Ａが確定したら、その位置に基づいて、利用可能なステップ数が例えば２００ステップのように算出され、１ステップ当たりの調整量が確定する。もちろん、この場合、ダウンテンポ側は、５６ステップしか利用できず、２８％の可変幅しか確保することができなくなるが、あくまで主として利用するのは、アップテンポ側なので、実用上問題にならない。また、２５６ステップ全てアップテンポ側で利用するようにすれば、１ステップ当たり１００／２５６＝０．３９％の調整が可能になり、標準テンポ点の移動調整前に対し２倍の精度向上ができる。もちろん、再生テンポの可変幅を任意に選択した上で、標準テンポ点の移動を行い、１ステップ当たりの調整量を小さくすることが可能である。例えば、再生テンポの可変幅を±８％可能にするモードが選択されている場合でも、標準テンポ点の変更により１ステップ当たりの調整量を小さくして調整精度を向上することができる。標準テンポの位置データは特定される毎にメインシステムコントローラ３６の内部ＲＡＭに保存され、電源ＯＦＦ時には、バックアップ用ＥＥＰＲＯＭ４２に保存される。
【００３５】
このように、アップテンポとダウンテンポの境界である標準テンポ点の位置を変更し、アップテンポ側及びダウンテンポ側として使用可能な操作ストロークを可変設定することにより、変更したい再生テンポ側の調整精度を容易に向上することができる。もちろん、実際の再生テンポの調整量は、ディスプレイ１１２のテンポ表示欄に数値として表示される。
【００３６】
なお、上述したように、標準テンポ点の移動が行われるため、スライドＶＲ１０４の操作量を当該スライドＶＲ１０４の側方で示す表示は、任意に変更可能な構成にする必要がある。
【００３７】
本実施形態においては、図４（ａ），（ｂ）に示すように、例えば、スライドＶＲ１０４の側部に任意に標準テンポ点の表示位置を変更できる表示装置が配置されている。図４（ａ）の場合、複数のＬＥＤ１０４ａで表示装置を構成している。また、図４（ｂ）の場合、ＬＣＤ１０４ｂにより構成している例を示している。新たな標準テンポ点の表示は、例えば、セットＳＷ１０２ｃが押下された時のスライドＶＲ１０４のノブの位置により検出し、対応する部分のＬＥＤ１０４ａを点灯させたり、ＬＣＤの表示を制御することができる。本実施形態では、スライドＶＲ１０４とセットＳＷ１０２ｃとが、表示変更手段を構成している。
【００３８】
このように、ＬＥＤ１０４ａやＬＣＤ１０４ｂを用いて変化する標準テンポ点の表示位置を明確にすることにより、標準テンポ点の認識が容易になり、再生テンポの調整を正確かつ容易に行うことができる。
【００３９】
また、上述した例では、ユーザが選択した再生テンポの可変幅とは、無関係にユーザが別途、新たな標準テンポ点の位置を設定する構成を示したが、例えば、選択された可変幅に基づいて、標準テンポ点の位置を自動的に確定するようにしてもよい。つまり、可変幅の選択により主として利用する再生テンポ側の１ステップ当たりの調整量が所定値以下になるように自動的に標準テンポ点の移動を行うようにしてもよい。この場合、可変幅の選択によりＬＥＤ１０４ａやＬＣＤ１０４ｂの表示位置も確定する。従って、ユーザの操作毎に、標準テンポ点位置の設定誤差が生じるということが防止され、安定した再生テンポの調整を行うことができる。
【００４０】
なお、本実施形態では、再生テンポの変更を±８％、±１６％、±３２％、±１００％の可変幅で設定できる例を示したが、この可変幅は任意であり、適宜変更することができる。もちろん、可変幅は、例えば±１００％に固定で、必要に応じて標準テンポ点の位置を変更し、主として使用する再生テンポ側の調整精度を向上するようにしてもい。また、図１、図２に示す構成は、一例であり、標準テンポ点の位置を変更し、再生テンポの調整精度を変更する構成であれば、本実施形態と同様な効果を得ることができる。また、移動する標準テンポ点の表示にＬＥＤやＬＣＤを用いた例を示したが、表示位置が任意に変更可能な構成であれば、表示手段も任意に選択可能である。
【００４１】
【発明の効果】
以上説明したように、本発明によれば、標準テンポ点、つまり調整ゼロ点をスライドボリュームのフルストローク中の所望の位置に変更するので、標準テンポ点位置の変更により使用可能範囲が広がった再生テンポ側（アップテンポ側またはダウンテンポ側）はＡＤ変換器において使用できるステップが増加する。その結果、実質的に１ステップ当たりの調整量を小さくすることが可能になり、微妙かつ正確な再生テンポ調節を行うことができる。
【図面の簡単な説明】
【図１】実施形態の全体構成図である。
【図２】図１におけるコントローラの前面パネル説明図である。
【図３】スライドＶＲの標準テンポ点の移動を説明する説明図である。
【図４】スライドＶＲの標準テンポ点の移動を明確にするための表示装置の例を説明する説明図である。
【符号の説明】
１  ＣＤプレイヤ、２  コントローラ、１１  ＣＤ、３６  システムコントローラ、４４  ＤＳＰ信号処理部、４６  メモリ、１０２ａ  テンポ設定スイッチ、１０２ｃ  セットＳＷ、１０４  スライドＶＲ、１０４ａ  ＬＥＤ、１０６  システムコントロー、１１２  ディスプレイ。
【図１】
2004302039.tif 000003
【図２】
2004302039.tif 000004
【図３】
2004302039.tif 000005
【図４】
2004302039.tif 000006